【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
電気電子技術学会（ＩＥＥＥ）８０２．１１局（ＳＴＡ）であって、
送信機と、
複数のダウンリンク送信時間（ＤＬＴｓ）と複数のアップリンク送信時間（ＵＬＴｓ）とを含む第１省電力フレームを受信するように構成された受信機と
を具え、
前記複数のＤＬＴｓおよび前記複数のＵＬＴｓの各々は、開始オフセットフィールドと継続時間フィールドとを含み、前記複数のＵＬＴｓの１つは、前記ＩＥＥＥ８０２．１１ＳＴＡに関するスケジュールされたＵＬＴであり、
前記受信機が前記第１省電力フレームを正常に受信しておらず、および前記送信機が前記ＩＥＥＥ８０２．１１ＳＴＡに関するスケジュールされたＵＬＴの期間中に送信していないという条件で、前記受信機は、それぞれのＵＬＴの期間中に送信に失敗した前記ＩＥＥＥ８０２．１１ＳＴＡに関するＵＬＴと、それぞれのＵＬＴの期間中にまだ送信していないＩＥＥＥ８０２．１１ＳＴＡに関するＵＬＴとを含む第２省電力フレームをさらに受信するように構成され、
前記送信機は、それぞれのＵＬＴの期間中に送信に失敗した前記ＩＥＥＥ８０２．１１ＳＴＡに関するＵＬＴに基づくパケットデータを送信するように構成されたことを特徴とする局（ＳＴＡ）。
【請求項２】
前記第１省電力フレームは、複数受信機集約複数ポーリング／省電力集約記述子（ＭＭＰ／ＰＳＡＤ）フレームであることを特徴とする請求項１記載のＳＴＡ。
【請求項３】
前記第２省電力フレームは、複数受信機集約複数ポーリング／省電力集約記述子（ＭＭＰ／ＰＳＡＤ）フレームであることを特徴とする請求項１記載のＳＴＡ。
【請求項４】
電気電子技術学会（ＩＥＥＥ）８０２．１１アクセスポイント（ＡＰ）であって、
受信機と、
複数のダウンリンク送信時間（ＤＬＴｓ）と複数のアップリンク送信時間（ＵＬＴｓ）とを含む第１省電力フレームを、複数のＩＥＥＥ８０２．１１局（ＳＴＡｓ）へ送信するように構成された送信機と、
ここで、前記複数のＤＬＴｓおよび前記複数のＵＬＴｓの各々は、開始オフセットフィールドと継続時間フィールドとを含み、
前記受信機および前記送信機と通信を行うプロセッサと
を具え、
前記プロセッサは、それぞれのＩＥＥＥ８０２．１１ＳＴＡからのアップリンク送信に関する前記複数のＵＬＴｓの各期間中に前記無線媒体を監視するように構成され、
前記ＩＥＥＥ８０２．１１ＡＰが、それぞれのＵＬＴの期間中に前記複数のＩＥＥＥ８０２．１１ＳＴＡｓの１つからアップリンク送信を受信することに失敗するという条件で、前記送信機は、それぞれのＵＬＴの期間中に送信に失敗した前記ＩＥＥＥ８０２．１１ＳＴＡに関するＵＬＴと、それぞれのＵＬＴの期間中にまだ送信していないＩＥＥＥ８０２．１１ＳＴＡに関するＵＬＴとを含む第２省電力フレームをさらに送信するように構成されたことを特徴とするＩＥＥＥ８０２．１１ＡＰ。
【請求項５】
前記受信機は、スケジュールされたＵＬＴ情報を含む省電力フレームを送信するための要求を受信するようにさらに構成されたことを特徴とする請求項４記載のＩＥＥＥ８０２．１１ＡＰ。
【請求項６】
前記プロセッサは、所定のしきい値を超えるアイドル期間について無線媒体を監視するようにさらに構成されたことを特徴とする請求項４記載のＩＥＥＥ８０２．１１ＡＰ。
【請求項７】
前記送信機は、前記プロセッサが、アイドル期間が前記所定のしきい値を超えたことを検出することを条件として、ダウンリンクデータを送信するようにさらに構成されたことを特徴とする請求項６記載のＩＥＥＥ８０２．１１ＡＰ。
【請求項８】
前記第１省電力フレームは、複数受信機集約複数ポーリング／省電力集約記述子（ＭＭＰ／ＰＳＡＤ）フレームであることを特徴とする請求項４記載のＩＥＥＥ８０２．１１ＡＰ。
【請求項９】
前記第２省電力フレームは、複数受信機集約複数ポーリング／省電力集約記述子（ＭＭＰ／ＰＳＡＤ）フレームであることを特徴とする請求項４記載のＩＥＥＥ８０２．１１ＡＰ。
【請求項１０】
電気電子技術学会（ＩＥＥＥ）８０２．１１局（ＳＴＡ）において使用するための方法であって、
複数のダウンリンク送信時間（ＤＬＴｓ）と複数のアップリンク送信時間（ＵＬＴｓ）とを含む第１省電力フレームを受信するステップと、
ここで、前記複数のＤＬＴｓおよび前記複数のＵＬＴｓの各々は、開始オフセットフィールドと継続時間フィールドとを含み、前記複数のＵＬＴｓの１つは、前記ＩＥＥＥ８０２．１１ＳＴＡに関するスケジュールされたＵＬＴであり、
前記ＩＥＥＥ８０２．１１ＳＴＡが、前記第１省電力フレームを正常に受信しておらず、および前記ＩＥＥＥ８０２．１１ＳＴＡに関するスケジュールされたＵＬＴの期間中に送信していないという条件で、それぞれのＵＬＴの期間中に送信に失敗した前記ＩＥＥＥ８０２．１１ＳＴＡに関するＵＬＴと、それぞれのＵＬＴの期間中にまだ送信していないＩＥＥＥ８０２．１１ＳＴＡに関するＵＬＴとを含む第２省電力フレームを受信するステップと、
それぞれのＵＬＴの期間中に送信に失敗した前記ＩＥＥＥ８０２．１１ＳＴＡに関するＵＬＴに基づくパケットデータを送信するステップと
を具えたことを特徴とする方法。
【請求項１１】
前記第１省電力フレームは、複数受信機集約複数ポーリング／省電力集約記述子（ＭＭＰ／ＰＳＡＤ）フレームであることを特徴とする請求項１０記載の方法。
【請求項１２】
前記第２省電力フレームは、複数受信機集約複数ポーリング／省電力集約記述子（ＭＭＰ／ＰＳＡＤ）フレームであることを特徴とする請求項１０記載の方法。
【請求項１３】
電気電子技術学会（ＩＥＥＥ）８０２．１１アクセスポイント（ＡＰ）において使用するための方法であって、
複数のダウンリンク送信時間（ＤＬＴｓ）と複数のアップリンク送信時間（ＵＬＴｓ）とを含む第１省電力フレームを、複数のＩＥＥＥ８０２．１１局（ＳＴＡｓ）へ送信するステップと、
ここで、前記複数のＤＬＴｓおよび前記複数のＵＬＴｓの各々は、開始オフセットフィールドと継続時間フィールドとを含み、
それぞれのＩＥＥＥ８０２．１１ＳＴＡからのアップリンク送信に関する前記複数のＵＬＴｓの各期間中に前記無線媒体を監視するステップと、
前記ＩＥＥＥ８０２．１１ＡＰが、それぞれのＵＬＴの期間中に前記複数のＩＥＥＥ８０２．１１ＳＴＡｓの１つからアップリンク送信を受信することに失敗するという条件で、それぞれのＵＬＴの期間中に送信に失敗した前記ＩＥＥＥ８０２．１１ＳＴＡに関するＵＬＴと、それぞれのＵＬＴの期間中にまだ送信していないＩＥＥＥ８０２．１１ＳＴＡに関するＵＬＴとを含む第２省電力フレームを前記複数のＩＥＥＥ８０２．１１ＳＴＡｓへ送信するステップと
を具えたことを特徴とする方法。
【請求項１４】
前記第２省電力フレームを送信する前に、所定の期間だけ待機することをさらに具えたことを特徴とする請求項１３記載の方法。
【請求項１５】
前記所定の期間は、ポイント制御機能フレーム間間隔（ＰＩＦＳ）期間であることを特徴とする請求項１４記載の方法。
【請求項１６】
前記第２省電力フレームは、再スケジュールされたＵＬＴｓとＤＬＴｓとを含むことを特徴とする請求項１３記載の方法。
【請求項１７】
少なくとも１つのＩＥＥＥ８０２．１１ＳＴＡに対し、前記少なくとも１つのＩＥＥＥ８０２．１１ＳＴＡが、以前に送信された省電力フレームを無視すべきであることを指示する追加フレームを送信することをさらに具えたことを特徴とする請求項１６記載の方法。
【請求項１８】
前記追加フレームは、前記複数のＩＥＥＥ８０２．１１ＳＴＡｓの全てに送信されることを特徴とする請求項１７記載の方法。
【請求項１９】
前記追加フレームは、前記複数のＩＥＥＥ８０２．１１ＳＴＡｓの一部に送信されることを特徴とする請求項１７記載の方法。
【請求項２０】
前記追加フレームは、制御フレーム、データフレーム、管理フレーム、又は複数受信機集約複数ポーリング／省電力集約記述子（ＭＭＰ／ＰＳＡＤ）フレームであることを特徴とする請求項１７記載の方法。